(57)【要約】【課題】トリガーや跳ね返り防止のための部品を排除し、引き戸が開いた状態では開口部側には何も突出せず、施解錠と引き戸の開閉がハンドルによる一連の動作で可能であり、かつ跳ね返りを確実に防止できる引き戸用鎌錠を提供する。【解決手段】ケースに鎌部材を両方向に振り分けるようにばね部材を付勢させた状態で組付けて鎌錠本体を構成し、引き戸に装着する。鎌部材には傾斜面と係止辺を備えた係合部分と第一爪と第二爪を設けておく。板状で中央部分に係合部分挿入用角孔を有した受けを枠体に装着する。座に連動部分を有したハンドルを組付けて操作部本体とし、連動部分が両爪間に挿入されるように引き戸の両側面に装着する。施解錠のためのハンドル操作の方向を、引き戸を開閉する方向に合わせ、ハンドル操作により連動部分を左右移動させて鎌部材の回転動作を得、係合部分を受けに出没させると共に、そのままの動作で引き戸を開閉する。【選択図】          図１
2004308258.tif 000002
【特許請求の範囲】
【請求項１】
ケース内に鎌部材が回動自在に装着され、鎌部材の係合部分がケースの戸先面から出没して受けの係合面に係合することで施解錠を可能とする引き戸用の鎌錠であって、鎌錠本体はケースと鎌部材と回転軸とばね部材を有し、ケースに鎌部材を回転軸にて回動自在に装着し、鎌部材は傾斜面と係止辺を有した係合部分と一定の間隔を有して並んだ第一爪と第二爪を備えており、操作部本体は連動部分を有したハンドルと座とからなり、ハンドルの操作により連動部分は左右方向に一定範囲内で移動可能に構成し、前記ハンドルの連動部分を前記鎌部材の第一爪と第二爪の間に配置したことを特徴とする引き戸用鎌錠。
【請求項２】
前記鎌部材を、係合部分がケース前面から最も出た突出状態から、ケース内に没する収納状態までの一定角度範囲にて回転可能に規制し、ハンドルの操作と連動した連動部分の左右移動により第一爪若しくは第二爪を左右方向に押す動作を得、さらに突出状態若しくは収納状態への鎌部材の回転軸を中心とした回転運動に変換し、係合部分のケース前面からの出没動作を得ることを特徴とする請求項１に記載の引き戸用鎌錠。
【請求項３】
前記鎌部材に、回転可能角度範囲内での中間位置付近を境として突出状態若しくは収納状態の両方向に振り分けて付勢するようにばね部材を装着し、連動部分が解錠側位置でかつ鎌部材が収納状態のときは、第一爪は連動部分の第一側面にまた第二爪は連動部分の第二側面に同時に接しており、連動部分が施錠側位置でかつ鎌部材が突出状態のときは連動部分の第二側面と第二爪は一定寸法離れた状態で第一爪のみが第一側面に接しており、連動部分が施錠側位置を保持したままの状態で鎌部材の解錠方向への一定角度の回転を許容するように構成したことを特徴とする請求項１または２に記載の引き戸用鎌錠。
【請求項４】
前記ばね部材を装着する際に、鎌部材を突出状態若しくは収納状態の両方向に振り分けて付勢させる境の位置を、連動部分が施錠側位置を保持したままの状態で鎌部材の回転が許容された一定角度範囲内では、鎌部材は常に突出状態に戻るように設定したことを特徴とする請求項１及至３いずれかに記載の引き戸用鎌錠。
【請求項５】
前記ハンドルの操作による連動部分の左右移動動作が、座に対してハンドルと連動部分が同一方向に左右移動するスライド動作であることを特徴とする請求項１及至４いずれかに記載の引き戸用鎌錠。
【請求項６】
前記ハンドルの操作による連動部分の左右移動動作が、引き戸面と平行な面上での上下方向の軸を中心としたハンドルの回転操作によるスイング動作であることを特徴とする請求項１及至４いずれかに記載の引き戸用鎌錠。
【請求項７】
前記鎌部材の係合部分の係止辺位置に弾性を有した当接部材を装着し、施錠状態で当接部材は受けの係合面と接するように配置し、引き戸の跳ね返り時の衝撃を当接部材の弾性により緩和させることを特徴とする請求項１及至６いずれかに記載の引き戸用鎌錠。
【請求項８】
前記受けを、受け外ケースと係合面を有した受け内板から構成し、受け外ケースに対して受け内板が左右方向に移動できるように組付け、受け外ケースと受け内板間にばね部材を装着し、引き戸の跳ね返り時の衝撃をばね部材の圧縮力により緩和させることを特徴とする請求項１及至６いずれかに記載の引き戸用鎌錠。
【発明の詳細な説明】
【０００１】
【発明の属する技術分野】
本発明は引き戸の鎌錠に関するものである。
【０００２】
【従来の技術】
従来からの引き戸用鎌錠としては、引き戸３８を一旦完全に閉じた状態にしてから、操作つまみに連動させた係合部分７を有した鎌部材２を回転させ、枠体３７に取り付けられた板状で中央部分に角孔を有した受けｃ内に係合部分７を出没させて施解錠する構成が主流であった。しかし、上記の構成では施解錠操作が常に手動であり、引き戸３８を閉じた後で別の操作として施解錠を実施する必要があり、また引き戸３８を開けた状態で誤って施錠操作をして鎌部材２の係合部分７を突出させてしまい、そのまま引き戸３８を閉じると係合部分７の先端が受けｃの正面に衝突して破損する危険性が問題とされていた。したがって、引き戸３８が開いた状態では操作つまみを移動できなくする、実開平５−４７２６３に開示されているような誤作動防止のためのトリガー機構を設けるか、若しくは係合部分７を突出させた誤作動状態から引き戸３８を閉じて受けｃの正面に衝突しても、鎌部材２全体が没して解除位置に復帰し、破損しないような別の機構を付加する必要があった。しかしこの誤作動防止機構を付加させても、トリガーを押した状態では操作可能になるためまだ完全なものとはいえない。
【０００３】
そこで、誤作動を防止するという観点ではなく別の考え方として、引き戸３８前面から突出しているトリガーと鎌部材２とを連結し、引き戸３８が開いている状態ではトリガーのみが戸先面に突出しており、このとき鎌部材２の係合部分７はケース１内に没した状態であり、トリガーが受けｃの正面に当接して没すると同時に鎌部材２が回転して係合部分７が突出して受けｃに挿入する、引き戸３８が閉じる最終段階でのトリガーの出没動作を鎌部材２の回転動作に変換して受けｃと係合部分７を係合させる構成のものが特開平８−８６１３２や特開平１０−２８０７６９等に多数開示されている。
【０００４】
また、力の弱い高齢者や子供などでも軽い力で開閉できるようにと引き戸３８の走行性能を高めた結果、急激に閉じた場合に大きく跳ね返ってしまう現象が最近では問題とされてきている。前者の手動で鎌部材２を回転させて施解錠する構成では、当然跳ね返りを防止することは不可能であり、また後者のトリガーと鎌部材２を連動させる構成においても、引き戸３８が閉じている状態ではトリガーは押されて鎌部材２の係合部分７は受けｃと仮係合しているが、引き戸３８を開けると鎌部材２が解錠方向に回転しながらトリガーが突出するため、閉鎖状態からそのまま開けることができ、やはり跳ね返りを防止することはできないことになる。
【０００５】
そこで、上記での後者の構成にさらに跳ね返りを防止する機構を追加したものとして、引き戸３８が閉じた瞬間とその後の一定時間のみ鎌部材２の解錠方向への回転動作を規制して一旦跳ね返りを防止し、一定時間後にはそのまま開けることができる状態に自然復帰する機構を含んだものが特開平１０−２９２６９３や特開２００１−１２１２６や特開２００２−１３８７４７等に既に多数開示されている。
【０００６】
また、上記の鎌部材２とトリガーを連動させる構成にさらに跳ね返り防止機構を追加するのではなく、単に跳ね返りを防ぐ機構を有するものとしては、図１４に示すような鎌部材２を一点回りに回転可能にケース１に装着し、常に鎌部材２の係合部分７がケース前面１４から突出状態になるようにばね部材４を付勢しておき、さらに係合部分７の先端に傾斜面８を設け、引き戸３８が閉じる最終段階で傾斜面８が受けｃの係合部分挿入用角孔２４の上端部２６に当接し、鎌部材２が傾斜に沿ってばね部材４の付勢に逆らって回転し、係合部分７が受けｃの正面を乗り越えた段階でばね部材４により鎌部材２が施錠方向に戻って係合状態になる自動ロック機構がある。この機構自体は従来から様々な用途によく用いられており、トリガーだけでなくトリガーの出没動作のためのばね等の部品も必要なく、部品点数が少なくて済み、また常に施錠状態を保持する構成であるため、跳ね返りを防止することも可能である。
【０００７】
しかし上記のような自動ロック機構では、通常引き戸３８を開ける度に解錠操作が必要になり、操作性が非常に悪いことが挙げられる。そこで図１５（ａ）に示すように、鎌部材２にハンドル５を組付け、鎌部材２は回転軸３を中心に片方向のみにハンドル５と連動して回転するように構成しておき、図５（ｂ）のようにハンドル５の回転操作と同時に解錠操作が実施でき、解錠後にそのままハンドル５を引っ張って引き戸３８を開けることができるように構成したものもあるが、この構成においてもハンドル５での解錠操作は引き戸３８と平行な面上での回転動作になり、引き戸３８を開閉する左右方向の操作とは方向が異なり、操作性としてはあまり良くないことが挙げられる。
【０００８】
またこの自動ロック機構での最大の問題点としては、引き戸３８が開いている状態ではトリガーより遥かに大きな鎌部材２の係合部分７全体が常に戸先面から突出した状態になり、最大開口寸法を狭くしてしまうと共に通行時に大きな突起物となり、腕などに当たると怪我をする等の危険性を有することが挙げられ、したがって住居等で使用する引き戸３８にはこの自動ロック機構はあまり使用されていないのが現状である。
【特許文献１】実開平５−４７２６３公報
【特許文献２】特開平８−８６１３２公報
【特許文献３】特開平１０−２８０７６９公報
【特許文献４】特開平１０−２９２６９３公報
【特許文献５】特開２００１−１２１２６公報
【特許文献６】特開２００２−１３８７４７公報
【０００９】
【発明が解決しようとする課題】
しかしながら、前述の引き戸を閉じる最終段階でトリガーが受けの面に当接して没する動作を鎌部材の回転動作に変換する構成においては、トリガー自体やトリガーを出没させるためのばね等の部品が必要になり、その分部品点数が増加し、組立の手間がかかることが問題として挙げられる。また引き戸が開いた状態では常にトリガーは戸先面から突出した状態であり、たとえ小さな形状のトリガーであっても通行時に衣服を引っ掛ける等のことも考えられ邪魔な存在であることには変わりない。
【００１０】
また上記のトリガーと鎌部材を連動させる機構では、前述のように引き戸を閉鎖状態で保持したり、急激な閉鎖での跳ね返りを防止することはできない。そこで、跳ね返りを防止する機構を有する構成にさらに発展させたとしても、そのためには益々多数の部品が別途必要となり、当然組立も複雑になり、全体のサイズも大きくなり、コスト面でも割高になると考えられる。
【００１１】
さらに最近では跳ね返りを防止するだけでなく、建付けが悪い場合などでは、レールの傾きや振動等で引き戸が閉じた状態から勝手に徐々に開いてくる問題も指摘されており、上記での構成においてはこの問題には全く対処することはできない。ここで、前述の自動ロック機構では常に施錠状態を保持するためこの問題は解決できるのであるが、自動ロック機構を使用するには引き戸を開けた状態での鎌部材の係合部分が常に通行側に突出する問題を解消する必要がある。
【００１２】
本発明は上記問題点を解決するためになされたものであり、鎌部材を連動させるためのトリガーやその周辺部品、さらには跳ね返り防止機構のための別途部品を全く必要とせず、引き戸が開いた解錠状態では係合部分を含む鎌部材全体がケース内に完全に収納され、したがって引き戸を開けた状態では戸先面から開口部側に突出するものは何も無く通行時の安全性に優れ、引き戸を開閉する方向と施解錠のためのハンドル操作の方向を同方向に設定することにより操作性を向上させることができ、ハンドル操作で鎌部材が直接連動する構成に一部自動ロック機構を取り入れることにより急激な閉鎖時においても跳ね返りを確実に防止し、さらにレールの傾斜や振動で徐々に開いてくる誤動作をも阻止することができる、少ない部品点数で構成可能な引き戸用鎌錠を提供することを目的とする。
【００１３】
【課題を解決するための手段】
本発明では上記目的を達成するために次の技術手段を講じた。まずケースと鎌部材と回転軸を設け、ケース内に回転軸にて鎌部材を回動自在に装着して鎌錠本体を構成し、引き戸の戸先側厚み方向面に掘り込んだ状態で装着する。また枠体の縦枠の戸先面と面対する位置に板状で中央部分に係合部分挿入用角孔を有し、その上下内面を係合面とした受けを装着する。鎌錠本体のケースは箱型で前面上下に取り付け孔を有したつば部分を備え、ケース前面の中央部分に係合部分出没用角孔を設け、さらにケース側面に回転軸挿入孔と連動部分挿入用角孔を設けておく。鎌部材は回転軸挿入孔と係合部分と第一爪と第二爪を有しており、係合部分の先端には傾斜面を逆側には係止辺を設け、さらに第一爪と第二爪間を一定距離離れた凹部分として形成し、第一爪と第二爪部分はある程度の厚みを持たせておく。
【００１４】
次に係合部分がケース前面側になるようにケース内に鎌部材を配置し、一定角度範囲のみで回動可能な状態で鎌部材を回転軸にて組付ける。この一定角度は、係合部分がケース内に完全に収納された位置から、ケース前面に大きく突出して係止辺が上下垂直方向になる位置までに設定し、前者の位置を鎌部材の収納状態、後者の位置を鎌部材の突出状態とする。また前記ケース側面の連動部分挿入用角孔は上記の鎌部材の回転で凹部分が移動する位置に配置しておく。さらに上記回転可能範囲内での中間位置付近を境として鎌部材は両方向に付勢されるようにばね部材を装着しておく。したがって鎌部材は収納状態と突出状態に振り分けて付勢され、どちらかの位置で安定して保持されることになり、回転の途中で停止することはない。
【００１５】
また鎌部材を突出状態にしてから引き戸を閉じた場合に、係合部分先端の傾斜面が枠体に装着された受けの係合部分挿入用角孔の上端部または下端部に当接するように鎌錠本体と受けの上下位置を設定しておく。ここで鎌部材の回転方向に制限は無く、突出状態からの鎌部材の回転可能方向が上方向であるなら係合部分先端の傾斜面の向きは先端から斜め下方になり、受けの係合部分挿入用角孔の下端部に当接するように両者を配置し、鎌部材の回転可能方向が下方向であるなら係合部分先端の傾斜面の向きは先端から斜め上方になり、受けの係合部分挿入用角孔の上端部に当接するように両者を配置する。
【００１６】
次に、座に連動部分を有したハンドルを組付けて操作部本体を構成し、さらに操作部本体を引き戸の両側に配置し、戸先面に掘り込んだ状態で取り付けられた鎌錠本体と引き戸の厚み部分を両側の座で挟み込むようにして固定する。このとき連動部分の先端がケース側面の連動部分挿入用角孔を通して第一爪と第二爪間の凹部分に挿入されるように設定しておく。また座に対するハンドルの移動操作により連動部分が一定範囲内で左右方向に動作するように構成しておく。したがってハンドル操作により連動部分が凹部分内で左右移動することになり、その結果連動部分が第一爪や第二爪を押す動作が得られ、この動作は回転軸を中心に両方向に鎌部材を回転させる動作になり、即ちハンドル操作を係合部分の出没動作に変換することが可能になる。連動部分が第一爪を押す場合と第二爪を押す場合ではハンドルの移動方向は左右逆であり、同様に鎌部材の回転方向も逆方向になる。
【００１７】
ここで、係合部分が突出状態から収納状態へ移行するときの回転方向と、その動作を得るために連動部分が移動する方向を解錠方向とし、逆の方向を施錠方向とする。さらに連動部分の左右移動により解錠方向に鎌部材を回転させる側の爪を第一爪とし、逆に施錠方向に鎌部材を回転させる側の爪を第二爪とする。また連動部分の両側面で第一爪側を第一側面、第二爪側を第二側面とする。
【００１８】
さらに、ハンドル操作により連動部分が解錠方向に最も移動しているときの連動部分の位置を解錠側位置とし、このとき鎌部材の第一爪は連動部分の第一側面に、第二爪は第二側面に共に接しており、両爪で連動部分の両側面を挟み込むように設定しておく。したがって通常引き戸を開けた時には上記の状態でハンドルは保持され、鎌部材は収納状態になっている。
【００１９】
この状態から引き戸を閉じる方向にハンドルを操作すると、引き戸が走行し始めるより先に連動部分が施錠方向に移動し、連動部分の第二側面が第二爪をばね部材の付勢に逆らって押し、鎌部材が回転して係合部分が突出し始める。ここで鎌部材がある程度回転して境の位置を越え、ばね部材により付勢される方向が変わると鎌部材はばね部材の力で突出状態にまで先に回転しようとする動作に変わる。またハンドルの操作により連動部分の第二側面で第二爪を押すのはこのばね部材の付勢の方向が施錠方向に変わった直後の位置までに制限しておき、この連動部分が最も施錠方向に移動しているときの位置を施錠側位置とすると、連動部分の左右移動動作は解錠側位置から施錠側位置までの範囲に制限されることになる。
【００２０】
したがって連動部分の第二側面が第二爪を施錠側位置まで押し込んだ以降は、鎌部材はばね部材の力のみで突出状態までさらに回転移動することになり、突出状態では第二爪と第二側面は一定の距離をおいて離れた状態になるように設定しておく。その結果連動部分が施錠側位置を保持した状態のままで、鎌部材は突出状態から第二爪が第二側面に当接するまでの角度において解錠方向にばね部材の付勢に逆らって回転可能となり、この角度を自由角度とすると、突出状態から解錠方向に自由角度分だけは鎌部材はハンドル操作と連動しないことになる。
【００２１】
ハンドルは連動部分が施錠側位置に達した段階で既に停止しており、鎌部材は突出状態になっており、さらにハンドルを持ったままの一連の動作で引き戸を閉じると、完全に閉鎖する直前に係合部分先端の傾斜面が受けの係合部分挿入用角孔の上端部または下端部どちらかに当接することになる。ここで上記のように鎌部材は解錠方向に自由角度分だけ回転可能であり、傾斜面に押されて係合部分は係合部分挿入用角孔の端部を乗り越える。その後係合部分が受け内に完全に挿入された段階で、ばね部材の力により鎌部材は施錠方向に突出状態まで再度回転し、受けの係合面と係合部分の係止辺とが係合することになり、引き戸を施錠することが可能になる。この段階での動作は前述の自動ロック機構と同じで、係合部分先端が受けの正面を乗り越えるために必要な回転角度を自由角度より小さく設定しておくことが重要であり、またこの自由角度内での鎌部材の解錠方向の回転動作でばね部材の付勢方向が変わらないように境の位置を設定しておくと良い。
【００２２】
次に第一爪は、連動部分が解錠側位置から施錠側位置に移動する動作中には一旦連動部分の第一側面から離れ、連動部分が施錠側位置で停止後、さらにばね部材のみの力で鎌部材が突出状態になったときに連動部分の第一側面に第一爪が再度接するように設定しておく。このように設定することにより、引き戸が閉じている施錠状態からハンドル操作により連動部分を解錠方向に移動させると、即座に第一側面が第一爪を押して鎌部材を解錠方向に回転させる動作が得られ、係合部分は受けから外れて引き戸を開けることができることになる。
【００２３】
このときの解錠方向の動作としては、連動部分の第一側面は解錠側位置に移動するまで第一爪を押し続け、途中でばね部材の付勢の方向が変わり、連動部分が解錠側位置に移動すると同時に鎌部材は収納状態に復帰し、第二爪も再度第二側面に接した状態に戻り、この位置でばね部材の力により保持されることになる。ハンドルの操作はこの解錠側位置で既に停止しており、その後はそのままハンドルを持った状態での一連の同方向への操作で引き戸を開けることができる。
【００２４】
上記での連動部分の左右移動動作を得るための操作部本体の機構やハンドルの操作方法はどのような構成であってもよいが、ハンドルが座内で連動部分と同方向に左右移動するスライド動作と、ハンドルが座に設けられた引き戸と平行な面上の上下方向の軸を中心に回転移動するスイング動作が簡単で適しており、後者ではハンドルの左右への操作に対する連動部分の移動方向が逆になるため第一爪と第二爪の配置を左右に反転させておくと良い。
【００２５】
また上記のように、引き戸を開ける方向へのハンドル操作により鎌部材が解錠方向に回転動作し、引き戸を閉じる方向へのハンドル操作により鎌部材が施錠方向に回転動作するように設定すると、引き戸を開閉するためにハンドルを左右に押し引きする操作と施解錠操作を一連の動作として実施することができるようになる。ここで全体の動作をまとめると、まず係合部分が受けに係合している施錠状態から引き戸を開けようとハンドルを引く操作をすると同時に係合部分が受けから離脱し、そのまま鎌部材は収納状態にまで回転し、その後ハンドルを持ったままの一連の動作で引き戸を最後まで開けることが可能になる。そして逆に引き戸を閉じようとハンドルを閉じる方向に操作すると、即座に連動部分が施錠側位置に移動して引き戸が走行するよりも早く鎌部材は突出状態になり、その後ハンドルを持ったままの一連の動作で引き戸を閉じることができ、完全に閉じる最終段階で係合部分の傾斜面が受けの係合部分挿入用角孔の端部に当接し、受けの正面を乗り越えて自動ロック機構により施錠できることになる。
【００２６】
上記のように構成することにより、施錠状態では完全に係合部分が受けにかかった状態であるため、跳ね返りを完全に防止することが可能となり、建付けの悪いレールが傾いた状態や常に振動を受ける条件下でも引き戸が勝手に開く現象を防ぐことができる。ここで上記のように、本発明では常に跳ね返りを防止することが可能となるため、今度は急激な閉鎖時での跳ね返りの衝撃を緩和させることが重要になってくる。そこで係合部分の係止辺位置に強い弾性を有した当接部材を設け、跳ね返り時の衝撃や音なりを緩和させる構成を付加しておくと、さらに優れた跳ね返り防止機構に発展させることができる。
【００２７】
また受けを内外二個の箱状の部材にて構成し、内側の部材に係合部分挿入用角孔と係合面を備えておき、重ね合わせた状態での両者間に強い巻ばねを挿入しておくと、跳ね返りの荷重が係合面にかかった段階で内側の部材が跳ね返る方向に移動しようとする動作になり、このとき巻ばねの圧縮力により跳ね返りの衝撃を吸収することができ、さらに効果的な跳ね返り防止機構として提案することが可能になる。
【００２８】
したがって本発明では、引き戸を開けた状態では係合部分を含む鎌部材全体が完全にケース内に収納された状態で保持され、トリガーや跳ね返り防止のための別途部品は全く必要なく、戸先側に突出するものは何も無い状態になるため通行時の安全性が高められる。さらには引き戸を左右に押し引きする通常の開閉操作のみで施解錠が可能になるため操作性に優れており、急激な閉鎖時の跳ね返りも防止することができ、かつ非常に少ない部品点数で構成することができるためコスト面においても有利である。
【００２９】
【発明の実施の形態】
以下図面に基づいて本発明に関する引き戸用鎌錠の実施の形態を説明する。図１〜図７は本発明の第一実施形態を示しており、図１は分解斜視図であり、図２は施錠状態の納まり縦側面断面図であり、図３は図２の配置を上下反転させた状態の断面図であり、図４は施錠状態の納まり横断面図である。
【００３０】
第一実施形態の引き戸用鎌錠は図１に示すように、ケース１と鎌部材２と回転軸３とばね部材４からなる鎌錠本体ａと、引き戸３８の両側面に装着される二対の座６とハンドル５からなる操作部本体ｂと、係合部分挿入用角孔２４と係合面２５を有した受けｃとから構成され、図４に示すように引き戸３８の戸先面厚み方向部分に鎌錠本体ａを掘り込んだ状態で装着し、引き戸３８の戸先側両側面に操作部本体ｂを掘り込んだ状態で配置し、鎌錠本体ａと引き戸３８の厚み部分を挟み付けた状態で両側の座６を取り付ける。したがって図１に示すように片方の座６にねじ柱を設けて雌ねじを切っておき、さらにねじ柱をケース１の上下位置の孔に貫通させ、取り付けねじを他方の座６の取り付け孔１８を通してねじ柱の雌ねじ部分に螺合し、両方の座６を引き付けて固定するとよい。さらに受けｃを枠体３７の戸先面と面対する位置に同様に掘り込んだ状態で装着する。
【００３１】
図１に示すように、鎌錠本体ａのケース１は薄い箱型であり、戸先側に位置するケース前面１４の上下につば部分を設け、つば部分に取り付け孔１８を備えておく。さらにケース前面１４に係合部分出没用角孔１６を、またケース側面１５に回転軸挿入孔１３と連動部分挿入用角孔１７を設けておく。鎌部材２は、先端に位置する傾斜面８と係止辺９を備えた係合部分７と、一定の間隔を有して並んだ第一爪１０と第二爪１１と、回転軸挿入孔１３とを有し、回転軸３にてケース１に係合部分７がケース前面１４側になる配置にて装着する。また第一爪１０と第二爪１１間を凹部分１２とすると、ケース側面１５の連動部分挿入用角孔１７は凹部分１２付近になるように配置しておく。さらにばね部材４をケース１と鎌部材２に連結して組付けておく。
【００３２】
受けｃは、図１に示すように正面が板状で中央部分に係合部分挿入用角孔２４を有し、その上下位置内面を係合面２５とし、奥部分には空間を設けておき、枠体３７に掘り込んだ状態で装着する。このとき図２では係合部分７の傾斜面８は先端から斜め上方に傾斜しており、鎌部材２は回転軸３を中心に反時計回りに回転すると解錠する設定になっており、したがって突出状態で受けｃの係合部分挿入用角孔２４の上端部２６に傾斜面８が面対するように受けｃと鎌錠本体ａの上下関係を設定しておく。また鎌部材２の回転方向は図２に示す方向に限定されるわけではなく、図４に示すような図２を上下に反転させた構成でもよく、この場合は傾斜面８の向きと鎌部材２の回転方向が逆になり、受けｃの係合部分挿入用角孔２４の下端部２７と傾斜面８が面対するように配置しておけばよい。
【００３３】
第一実施形態での操作部本体ｂは、図１に示すように中央部分が凹状で、凹状部分の奥面を一部分開口させた形状の座６と、連動部分１９を有した上下に長いハンドル５からなり、座６の凹状部分奥面の開口部分にハンドル５の連動部分１９を差し込んだ状態でハンドル５全体を座６内に挿入し、座６に対して左右方向にハンドル５が移動可能なように両者を組付ける。したがって連動部分１９は座６の奥面から突出した状態でハンドル５と同方向に同じ距離だけ左右移動することになる。
【００３４】
図２は鎌部材２の係合部分７がケース前面１４から最も突出した状態で、係合部分７が完全に受けｃ内に挿入され、係止辺９は上下垂直方向になっており、受けｃの係合面２５と係合部分７の係止辺９が係合している施錠状態を示している。また図４は図２と同じ状態を示す施錠状態の横断面図であり、このとき連動部分１９は凹部分１２に挿入された状態で、ハンドル５と連動部分１９は座６内で最も戸先側に移動した位置になっている。
【００３５】
次に図５〜図７に基づいて、ハンドル５の左右方向への操作による連動部分１９の移動動作と、その動作に連動した鎌部材２の回転と、それに伴うばね部材４の付勢の方向を説明する。図５〜図７は共に図２の配置のときの施解錠の動作を示しており、図を解り易くするために操作部本体ｂは連動部分１９のみを表記しておく。
【００３６】
図５は引き戸が開いている解錠状態から、ハンドル５の操作により施錠状態へ移行する動作を順に示す模式図であり、図５（ａ）は最も係合部分７が没した鎌部材２の収納状態を示しており、図５（ｄ）は係合部分７が最もケース前面１４から出ている鎌部材２の突出状態を示している。したがって鎌部材２の回転可能範囲を図５（ａ）〜図５（ｄ）の角度に制限しておくとよく、ここで図５（ａ）の収納状態から図５（ｄ）の突出状態に移行するときの鎌部材２の回転方向と、その動作を得るための連動部分１９の移動方向を施錠方向とし、逆に図５（ｄ）の突出状態から図５（ａ）の収納状態に移行するときの方向を解錠方向とする。
【００３７】
図５（ａ）〜図５（ｄ）までの全ての状態で、連動部分１９は常に第一爪１０と第二爪１１間の凹部分１２に位置しており、連動部分１９はハンドル５と同方向に左右移動するのであるが、このとき連動部分１９の移動により押されて解錠方向に鎌部材２を回転させる側の爪を第一爪１０とし、逆方向に押されて鎌部材２を施錠方向に回転させる側の爪を第二爪１１とする。また連動部分１９の両側面で、第一爪１０側を第一側面２０とし、第二爪１１側を第二側面２１とする。
【００３８】
また図４に示すように、引き戸３８の両側から凹部分１２内に挿入された連動部分１９が両方共に第一爪１０と第二爪１１に掛かる必要があるため、両爪はある程度の厚みを有するように設定しておく。さらには図１及び図４に示すように、引き戸３８の両側に配置された連動部分１９の先端の、片方には突起部分２２を他方にはへこみ部分２３を設け、組付けた状態で突起部分２２とへこみ部分２３が嵌り合うようにし、片方のハンドル５の操作で他方のハンドル５も同時に同じ方向に移動するように構成しておく。
【００３９】
図５（ａ）に示す、係合部分７が完全にケース１内に没した鎌部材２の収納状態では、連動部分１９はケース側面１５の連動部分挿入用角孔１７の最も戸尻側に位置しており、鎌部材２の第一爪１０は連動部分１９の第一側面２０にかつ第二爪１１は第二側面２１に両方同時に接しており、両爪で連動部分１９を挟み込んだ状態になっている。この図５（ａ）での連動部分１９の位置を解錠側位置とし、これ以上ハンドル５及び連動部分１９は戸尻側には移動しないように規制しておく。また図５（ｃ）と図５（ｄ）に示す連動部分１９が最も戸先側に移動した位置を連動部分１９の施錠側位置とし、同様にこれ以上ハンドル５及び連動部分１９は戸先側には移動しないように規制しておく。
【００４０】
そして次に、図５（ａ）〜図５（ｄ）間にて規制した鎌部材２の回転可能範囲での中間位置を境として、鎌部材２が突出状態か収納状態のどちらかに付勢されるようにばね部材４を配置する。したがってばね部材４の形状は図５に示すようなコイルばねが優れており、常に両端が広がる方向に力がかかるように設定しておき、両端をケース１と鎌部材２に取り付ける。また図５（ｂ）に示す位置を両方向に付勢させるときの境の位置にしようとする場合は、図５（ｂ）の状態で鎌部材２に取り付けたばね部材４の片端位置が、ケース１に取り付けた他端位置と回転軸３の中心とを結んだ線上になるように設定するとよく、この位置でばね部材４は最も圧縮された状態になり、この位置を境にして鎌部材２は収納状態と突出状態に振り分けて付勢させることができる。したがって鎌部材２は両方向に最大に回転した収納状態の位置と突出状態の位置とで安定して保持されることになる。
【００４１】
ばね部材４の形状においては、鎌部材２の回転可能範囲に対して途中の任意の位置で付勢の方向が変わるように設定できればよく、図示はしないが、図５のようなコイルばねを用いず、回転軸３と同軸位置に多角形の部材を配置し、多角形の部材を板ばねで両側から挟んで抱き込むような構成であってもよく、この場合は多角形の部材の突出した角位置を境にして両方向に付勢させることができることになる。
【００４２】
次に図５（ａ）に示す状態からの、ハンドル５の操作による連動部分１９の戸先側への移動に伴う鎌部材２の回転動作を順に説明する。図５（ａ）の解錠状態から連動部分１９が施錠方向に移動すると、連動部分１９の第二側面２１が第二爪１１を押し、鎌部材２は施錠方向に回転しながら係合部分７が突出し始める。図５（ｂ）に示す状態がばね部材４の付勢方向の境の位置であり、ここまではばね部材４に逆らってハンドル５と連動部分１９を移動操作することになる。図５（ｂ）の状態では連動部分１９はまだ戸先側に移動可能であり、図５（ｂ）以降の動作は連動部分１９により第二爪１１がさらに押されると同時に、ばね部材４が境の位置を越えるため、連動部分１９とばね部材４の両方に押されて鎌部材２は施錠方向に回転することになる。
【００４３】
ここで、次の段階としては図５（ｃ）の位置が重要であり、この位置は連動部分１９が最も戸先側である施錠側位置に到達した状態であり、この位置でハンドル５と連動部分１９の動作は停止することになる。したがって連動部分１９の第二側面２１が鎌部材２の第二爪１１を押す動作はこの図５（ｃ）の状態までであり、この連動部分１９に押される動作だけでは鎌部材２はまだ完全に突出状態にまでは至らないように設定しておく。そして図５（ｃ）の位置以降は、ばね部材４による付勢の力によりさらに鎌部材２を図５（ｄ）に示す突出状態にまで回転させるように構成しておく。つまり図５（ｃ）〜図５（ｄ）の範囲での鎌部材２の回転は連動部分１９には干渉されず、ばね部材４の付勢による力だけが作用していることになり、この鎌部材２の回転が許容された角度を自由角度とする。実際の動作としては、ばね部材４の付勢により鎌部材２が回転する方が早く、図５（ｃ）の位置は単なる通過点に過ぎず、鎌部材２は図５（ｂ）から一気に図５（ｄ）に移動する動作になると考えられる。
【００４４】
また、回転軸３からの第一爪１０と第一側面２０との接点までの距離と、回転軸３からの第二爪１１と第二側面２１との接点までの距離を変えておくことにより、図５（ａ）に示す両爪が連動部分１９両側面に接した状態から連動部分１９を移動させると、第二爪１１は図５（ｃ）までは常に第二側面２１と接した状態を保持しつつ、第一爪１０は徐々に第一側面２０から離れるような第一爪１０と第二爪１１の軌跡を得ることができる。そして図５（ｃ）以降の連動部分１９が停止してからの鎌部材２のさらなる回転で一気に第一爪１０が第一側面２０に接近し、図５（ｄ）の完全に鎌部材２が突出状態にまで回転した位置で第一爪１０が第一側面２０に再度接するように設定しておく。
【００４５】
以上に説明した一連の動作は、引き戸３８を大きく開いた状態から閉じようとした時の動作であり、ハンドル５が解錠側位置に保持された図５（ａ）の状態から引き戸３８を閉じる方向にハンドル５を操作すると、引き戸３８が走行を開始するより早く連動部分１９が図５（ｃ）の施錠側位置にまで移動し、ほぼ同時にばね部材４により鎌部材２は図５（ｄ）の突出状態にまで回転することになる。その後ハンドル５は施錠側位置で停止するため、そのまま同方向にハンドル５を引く一連の動作で引き戸３８を閉じることができることになる。
【００４６】
次に上記動作に引き続いた、引き戸３８を閉じる最終段階で係合部分７が受けｃに係合する動作を図６に基づいて説明する。図６（ａ）は図５（ｄ）と同じ状態であり、鎌部材２の係合部分７先端の傾斜面８が受けｃの係合部分挿入用角孔２４の上端部２６に近接した状態を示しており、さらに引き戸３８を閉じると係合部分７の傾斜面８が係合部分挿入用角孔２４の上端部２６に当接する。その結果、図６（ｂ）に示すように鎌部材２は解錠方向に回転する動作になり、このとき前述の自由角度分だけ鎌部材２はハンドル５および連動部分１９の位置に干渉されること無く回転可能であるため、前述の自由角度を係合部分７が受けｃの上端部２６を乗り越えるのに必要な回転角度より大きく設定しておくと、係合部分７は図６（ｃ）の位置まで回転することが可能になる。
【００４７】
またこの図６（ｃ）の位置でばね部材４は境の位置を越えておらず、鎌部材２は突出状態に戻る方向に付勢されるように設定しておくと、係合部分７が受けｃの正面を乗り越えて完全に受けｃ内に挿入された段階では図６（ｄ）に示すように鎌部材２はばね部材４の力により突出状態に戻り、即ち係合部分７の係止辺９と受けの係合面２５を係合させて施錠することが可能になる。
【００４８】
この図６で説明した動作は従来の自動ロックの機構と全く同じであり、引き戸３８が完全に閉じた瞬間に係合部分７の係止辺９が受けｃの係合面２５に係合するため確実に跳ね返りを防止することができ、そのままの状態で係合状態を維持するため、建付けが悪くレールが傾いていたり、常時振動を受けるような状況下においても勝手に開いてくるような現象をも阻止することができる。また図５で説明した引き戸３８を閉じようとする最初の段階でのハンドル５の操作で係合部分７が突出状態になり、さらに連続した図６で説明した引き戸を閉じる動作で施錠が可能となるため、従来の引き戸３８が開いた状態での誤作動を防止するためのトリガーや、引き戸３８が閉じる最終段階で鎌部材２を回転させて受けｃに挿入させるための連動用のトリガー等は必要ない。
【００４９】
次に図６（ｄ）の施錠状態から引き戸３８を開ける場合の動作を図７にて説明する。図７（ａ）は図６（ｄ）と同じ施錠状態であり、連動部分１９の第一側面２０に第一爪１０が接している状態である。この状態からハンドル５を、引き戸を開ける方向である戸尻側に操作すると、ばね部材４の力に逆らって図７（ｂ）に示すように連動部分１９の第一側面２０が第一爪１０を押し、鎌部材２が解錠方向に回転し、係合部分７が受けｃの係合面２５から外れて解錠することができる。
【００５０】
その後、図７（ｃ）に示すばね部材４の付勢方向が変わる境の位置を過ぎると、ばね部材４と連動部分１９両方の動作により鎌部材２は図７（ｄ）に示す収納状態にまで回転することになる。また図７（ｄ）の状態で連動部分１９は解錠側位置に到達し、ハンドル５はこの位置で停止するため、そのままの一連の動作でさらに引き戸３８を大きく開けることができる。つまりを引き戸３８を開ける方向にハンドル５を操作するだけで、解錠と引き戸３８を開ける動作が同時に得られることになる。この図７（ｄ）の状態では、鎌部材２の第一爪１０第二爪１１両方が第一側面２０第二側面２１に接した収納状態になっており、前述の図５（ａ）に戻っていることがわかる。
【００５１】
上記の一連の動作が、引き戸３８を大きく開けた状態から一旦完全に閉めて施錠状態にし、再度開けるまでの一サイクルの操作になる。また引き戸３８が開いた状態のままでハンドル５を左右に操作すると、図６で説明した係合部分７と受けｃの係合動作が無く、図５と図７で説明した鎌部材２の係合部分７が出没を繰り返すだけの動作になる。
【００５２】
第一実施形態では図４に示すように引き戸の両側に操作部本体ｂを掘り込んだ状態で装着し、部屋の内外からの操作を可能とする玄関引き戸や室内用の間仕切り用引き戸に適した構成にて説明してきたが、次にキャビネットや収納家具等の引き戸に適した構成を第二実施形態として図８にて説明する。第二実施形態においても図８に示すように、鎌錠本体ａと受けｃの構成や、鎌錠本体ａの連動部分１９と鎌部材２の動作等は全く第一実施形態と同様である。しかし、第二実施形態での引き戸３８では人が通行する状況はあり得ないため、操作面が片方に限定できることになり、操作部本体ｂは引き戸３８の片側のみに配置するだけでよいことになる。したがって第一爪１０第二爪１１部分の厚みは薄くてもよく、鎌錠本体ａを非常に薄くコンパクトに構成することが可能になる。
【００５３】
さらには第二実施形態においても、引き戸を閉じると同時に施錠する自動ロック機構は同様であるため、波に揺られる小型船舶等の引き違い窓や、保冷車等の走行車両の側面引き戸等にも適しており、ロックを忘れた状況で急停車すると引き戸３８が急激に移動するような危険性を防止でき、さらには引き戸３８の開閉操作の後に毎回別の操作としてロックする手間をも削減することが可能になる。
【００５４】
また第一実施形態や第二実施形態では、操作部本体ｂを引き戸３８の厚み方向に掘り込んで、引き戸３８面からハンドル５や座６がほとんど出っ張らない、引き違えタイプにも対応可能な構成としてきたが、この構成では必然的に従来の掘り込み引き手のように、座６の凹状部分に指先を入れて左右に操作することになり、操作性という点ではまだ不十分であると考えられる。最近ではより操作性が重視され、さらに楽な開閉を実現するために、大きなパイプ状のハンドル５を引き戸３８面からある程度突出させて取り付け、ハンドル５を握って開閉操作するタイプが増加しており、このタイプは片引きのものが多く、玄関用の洋風スライディングドアや公共施設の廊下等で使用する引き戸に頻繁に用いられてきている。したがって次に第三実施形態として、上記のような大きなハンドル５を使用するタイプにも適応可能な構成を図９〜図１１にて説明する。
【００５５】
図９は第三実施形態の斜視図であり、図１０は納まり横断面図であり、図１１は連動部分１９と鎌部材２の動作を示す模式図であり、鎌錠本体ａと受けｃの構成は第一実施形態とほとんど同様である。ここで、図１０に示すように座６に取り付けられたハンドル５の移動動作を、引き戸３８面と平行な上下方向の軸を中心に回転するスイング動作にて構成した点が第一実施形態と異なっている。したがってハンドル５の握り手部分２９と連動部分１９は完全な左右直線運動にはならず、ハンドル５を座６に回転自在に組付ける連結ピン２８を中心とした円弧上を移動する略左右移動動作になる。そこで、連動部分１９が第一爪１０や第二爪１１に接触しながら移動し、さらに鎌部材２を回転させる動作が円滑に得られるように、ハンドル５及び連動部分１９の最大振り角度や連動部分１９の形状を設定しておく必要がある。
【００５６】
また第三実施形態では、ハンドル５の握り手部分２９の略左右移動と連動部分１９の略左右移動の方向が逆になるため、鎌部材２の第一爪１０と第二爪１１の配置を逆にしておく必要がある。また第三実施形態でも第一実施形態と同様に鎌部材２の回転方向に制限は無く、図９及び図１１では鎌部材２の解錠方向の回転を第一実施形態で説明してきた方向とは逆の、図３と同じ方向である時計回りにて設定し、係合部分７先端の傾斜面８を先端から斜め下方に傾斜するように形成し、係合部分７の傾斜面８が受けｃの係合部分挿入用角孔２４の下端部２７に当接する構成にて表記する。
【００５７】
上記のように、第三実施形態ではハンドル５の操作がスイング動作であるため、図１０に示すようにハンドル５及び連動連動部分１９の振り角度はなるべく小さい方がよく、したがってスイング動作の回転の中心である連結ピン２８位置からの握り手部分２９までの距離と、連結ピン２８位置からの連動部分１９の両側面と第一爪１０第二爪１１との接点までの距離が共に大きい方が条件面で優れていることになる。したがって座６は引き戸３８面に掘り込まず外付けにし、ハンドル５の小さい操作角度で比較的大きな連動部分１９の移動距離を得るように構成するとよい。
【００５８】
図１１は連動部分１９の略左右移動に伴う鎌部材２と係合部分７の回転動作を示す模式図であり、図１１（ａ）が解錠状態で図１１（ｄ）が施錠状態を示している。図１１（ｄ）に示す連動部分１９の位置が施錠側位置であり、図３に示す第一実施形態とでは施錠側位置と解錠側位置は左右に反転させた状態になっており、連動部分１９は引き戸３８を開けようとする方向へのハンドル５の操作により戸先側に移動することになる。したがって第一実施形態と同様に押されて鎌部材２が解錠方向に回転する側の爪を第一爪１０とすると、第一爪１０はケース前面１４側に配置されることになり、第一爪１０や第二爪１１も第一実施形態とは左右に反転させた配置になる。その他の連動部分１９の移動による鎌部材２の回転動作や、ばね部材４による境の位置に対して両方向に付勢させる構成や、連動部分１９が施錠側位置を保持した状態での鎌部材２の自由角度の設定等は第一実施形態と全く同様である。
【００５９】
また前述のように第三実施形態は玄関等の片引き戸に適した構成であり、引き違い戸のように召し合せ部分でのロック機構を有していない場合が多く、鎌錠本体ａに錠前によるロック機能をも付加させる必要性が高いと考えられる。このロック機構は、ロック用つまみの操作によりハンドル５自体の移動を規制する構成や、鎌部材２の回転を規制する構成等どのような手段であってもよいが、一例として図１１に示すような、ケース側面１５を貫通してロック用連結板３０を配置し、ロック用連結板３０の両端を座６から突出させてロック用つまみと連結し、ロック用つまみの回転操作によりロック用連結板３０をケース１内で回転させ、鎌部材２を突出状態から回転できないようにする手段が簡単である。
【００６０】
図１１（ａ）〜図１１（ｃ）はロック解除状態で鎌部材２は回転可能な状態であり、係合部分７が突出している施錠状態で図１１（ｄ）のようにロック用つまみを回転操作してロック用連結板３０を回転させると、鎌部材２の解錠方向の回転を規制してロックすることができる。またロック用連結板３０に板ばね３１を付勢しておき、ロック及び解除の際にクリック感を付加しておくとよい。
【００６１】
また本発明の引き戸用鎌錠は自動ロック機構が特徴の一つであり、引き戸３８の急激な閉鎖においても確実に跳ね返りを防止する構成が有効とされるのであるが、常に強制的に引き戸を跳ね返らないように停止させるため、閉鎖速度が速い場合などでは非常に大きな衝撃が発生すると考えられる。引き戸３８を完全に閉じる手前の段階で摩擦等を用いて速度を減速させる装置を別途装着する場合もあるが、そうでない場合がほとんどであり、跳ね返り時の衝撃を少しでも緩和させる機構が本発明の引き戸用鎌錠にも必要であると考えられる。そこで、鎌錠本体ａに上記機構を付加した構成を第四実施形態として図１２に、さらに受けｃに上記構成を付加した構成を第五実施形態として図１３にて説明する。
【００６２】
第四実施形態は鎌部材２の係合部分７がかなりの厚みを有している場合に適しており、図１２に示すように係合部分７の係止辺９位置に強い弾性を有したゴムや樹脂等の当接部材３２を装着し、施錠状態で受けｃの係合面２５と接触するように配置し、非常に強い跳ね返りが生じた場合にのみ弾性により僅かに当接部材３２が変形して衝撃を吸収させる構成であり、同時に跳ね返りの際の衝撃音を低減させる役割も付加させることができる。
【００６３】
第五実施形態は鎌部材２の係合部分７が板状か若しくは厚みが薄い場合に適しており、受けｃ内に設けた機構にて跳ね返りの衝撃を緩和させる構成である。図１３は第五実施形態での受けｃの縦側面断面図であり、係合部分挿入用角孔２４とその上に位置する係合面２５を有した受け内板３３と、取り付け孔１８を有し枠体３７に固定される受け外ケース３４を設け、受け外ケース３４に対して左右方向に受け内板３３が移動可能なように両者を組付けておく。受け内板３３の左右移動手段はどのような構成であってもよいが、図１３に示すような受け内板３３と受け外ケース３４の両下部を鋲３５で回動自在に組付ける構成が簡単であり、さらに受け内板３３上部と受け外ケース３４上部間に強い押しばね３６を挿入しておく。
【００６４】
図１３（ａ）は押しばね３６により受け内板３３が奥方向に押し付けられた基準位置を示しており、引き戸３８が低速度で閉じた時には跳ね返りは無く、そのまま受け内板３３の係合面２５と鎌部材２の係止辺９が係合して施錠されることになる。しかし急激に閉鎖した時には、跳ね返ろうとする作用が発生し、係合部分７の係止辺９が受け内板３３の係合面２５を引っ張る動作になり、この動作を押しばね３６の圧縮力にて吸収させることにより衝撃を緩和することができることになる。
【００６５】
跳ね返りの瞬間は図１３（ｂ）に示すように、押しばね３６が圧縮した分僅かに跳ね返る方向に移動する現象が起こるが、跳ね返りの力が消滅した段階では受け内板３３は押しばね３６の力により基準位置に引寄せられて停止することになり、枠体３７と引き戸３８の戸先面との隙間が生じたりすることはない。また第四実施形態と第五実施形態の構成を両方同時に使用してもよく、これらの跳ね返り時の衝撃を緩和させる構成は第一実施形態から第三実施形態までの全ての構成に適応させることが可能である。
【００６６】
【発明の効果】
ハンドルの操作を直接鎌部材に連動させ、ばね部材により鎌部材の回転動作を収納状態と突出状態に振り分けて付勢し、さらに自動ロック機構を係合部分が受けに係合する直前の自由角度範囲内に限定して採用したため、トリガーやその周辺部品は全く必要なくなり、解錠状態では係合部分はケース内に完全に没した状態で保持できることになり、引き戸が開いている時には係合部分はもちろんのこと、トリガーさえも戸先側に突出すること無く、通行における危険性を完全に排除することが可能になる。
【００６７】
施解錠操作が引き戸を開閉するために押し引きする時のハンドル操作と同じ方向であり、引き戸を閉じる方向にハンドル操作した初期の段階で係合部分が突出状態になり、そのまま引き戸を閉じるだけで施錠することができ、引き戸を開ける方向にハンドル操作すると同時に解錠でき、そのままハンドルを持った状態でさらに引き戸を大きく開けることが可能であり、つまり開閉の操作と施解錠の操作が一連の動作で実施できることになり非常に操作性が優れている。
【００６８】
施錠の際の動作は自動ロック機構と同様であり、扉が閉じている状態では常に受けと鎌部材の係合部分がかかりあった状態になるため、確実に引き戸の跳ね返りを防止することができ、さらには建付けが悪くレールが傾斜しているような状態や常に振動を受けるような条件下であっても、引き戸が勝手に開いてくるような現象を阻止することができる。
【００６９】
係合部分の係止辺位置に弾性を有した当接部材を装着するか、若しくは受けを内外の箱状の部材にて構成して両者間に押しばねを組み込むことにより、急激に引き戸を閉じた時の跳ね返りの衝撃や音なりを、当接部材の弾性力や押しばねの圧縮力により吸収して緩和させることが可能になる。
【図面の簡単な説明】
【図１】本発明の第一実施形態の分解斜視図である。
【図２】本発明の第一実施形態の納まり縦側面断面図である。
【図３】図２を上下反転させた状態の納まり縦側面断面図である。
【図４】本発明の第一実施形態の納まり横断面図である。
【図５】本発明の第一実施形態の、鎌部材が収納状態から突出状態に移行する動作を示す模式図である。
【図６】本発明の第一実施形態の、突出状態の鎌部材が受けに係合する動作を示す模式図である。
【図７】本発明の第一実施形態の、施錠状態から解錠する動作を示す模式図である。
【図８】本発明の第二実施形態の納まり横断面図である。
【図９】本発明の第三実施形態の分解斜視図である。
【図１０】本発明の第三実施形態の納まり横断面図である。
【図１１】本発明の第三実施形態の、連動部分と鎌部材の動作を示す模式図である。
【図１２】本発明の第４実施形態の、鎌部材の係合部分の側面図である。
【図１３】本発明の第五実施形態の、受けの縦側面断面図である。
【図１４】従来の自動ロック機構を示す模式図である。
【図１５】従来の自動ロック機構で、さらに解錠をハンドルの回転操作で実施する構成の模式図である。
【符号の説明】
ａ      鎌錠本体
ｂ      操作部本体
ｃ      受け
１      ケース
２      鎌部材
３      回転軸
４      ばね部材
５      ハンドル
６      座
７      係合部分
８      傾斜面
９      係止辺
１０    第一爪
１１    第二爪
１２    凹部分
１３    回転軸挿入孔
１４    ケース前面
１５    ケース側面
１６    係合部分出没用角孔
１７    連動部分挿入用角孔
１８    取り付け孔
１９    連動部分
２０    第一側面
２１    第二側面
２２    突起部分
２３    へこみ部分
２４    係合部分挿入用角孔
２５    係合面
２６    上端部
２７    下端部
２８    連結ピン
２９    握り手部分
３０    ロック用連結板
３１    板ばね
３２    当接部材
３３    受け内板
３４    受け外ケース
３５    鋲
３６    押しばね
３７    枠体
３８    引き戸
【図１】
2004308258.tif 000003
【図２】
2004308258.tif 000004
【図３】
2004308258.tif 000005
【図４】
2004308258.tif 000006
【図５】
2004308258.tif 000007
【図６】
2004308258.tif 000008
【図７】
2004308258.tif 000009
【図８】
2004308258.tif 000010
【図９】
2004308258.tif 000011
【図１０】
2004308258.tif 000012
【図１１】
2004308258.tif 000013
【図１２】
2004308258.tif 000014
【図１３】
2004308258.tif 000015
【図１４】
2004308258.tif 000016
【図１５】
2004308258.tif 000017